(57)【要約】【課題】縫目を形成するのに十分な大きさの針糸ループが形成されて、糸切れ、目飛び、半掛け等の縫い不良が防止される、ミシンの布押えを提供することを目的とする。【解決手段】ミシンアームに上下動可能に支持され、下向きの弾性力を受ける押え棒１６と、前記押え棒の下端に固定されたローラ支持台１７と、前記ローラ支持台に回動可能に支持された送りローラ１８と、前記ローラ支持台に回動可能に支持されるとともに、回転一方向に付勢された押え腕１９と、前記押え腕の一端側に固定されるとともに、針孔が形成された押え足２０と、を備えたミシンの布押えにおいて、前記押え足の底面には、略針孔中心線上Ｓにその半径中心が位置する円弧面２０ｂが形成されている構成とした。【選択図】図２
2004049581.tif 000002
【特許請求の範囲】
【請求項１】
ミシンアームに上下動可能に支持され、下向きの弾性力を受ける押え棒と、
前記押え棒の下端に固定されたローラ支持台と、
前記ローラ支持台に回動可能に支持された送りローラと、
前記ローラ支持台に回動可能に支持され、一方向に付勢された押え腕と、
前記押え腕の一端側に固定されると共に、針孔が形成された押え足と、を備えたミシンの布押えにおいて、
前記押え足の底面には、略針孔中心線上にその半径中心が位置する円弧面が形成されていることを特徴とするミシンの布押え。
【請求項２】
請求項１記載のミシンの布押えにおいて、
前記押え足の針孔外周には、針えぐり部と反対側に切欠け部が形成されていることを特徴とするミシンの布押え。
【発明の詳細な説明】
【０００１】
【発明の属する技術分野】
この発明は、送りローラを備えたミシンの布押えに関するものである。
【０００２】
【従来の技術】
図７〜図１１に示すように、従来のミシンの布押え１は、図示省略の押え棒の下端にはローラ支持台２が固定されている。ローラ支持台２には、送りローラ３が回動可能に支持されている。この送りローラ３は、図示省略の駆動軸を介してミシン主軸に連結されている。また、ローラ支持台２の下端部には、腕支持軸４が固定されている。この腕支持軸４は、押え腕５の一端側を回動可能に支持している。押え腕５の他端側には、ネジ６により押え足７の一端側が固定されている。この押え足７は、Ｖの字状でその中心部針孔７ａが形成されている。また、針孔７ａに近接した押え足７の底面７ｂは、水平一直線に沿って平坦である。そして、図示省略のばねにより、押え腕５と押え足７は、腕支持軸４を中心に時計方向に付勢されている。
【０００３】
図８は、ミシンの布押え１がジーンズなどの三つ巻き段部を乗り越えて縫製する動作を示しており、（１）〜（３）は三つ巻き段部を乗り上げる時の挙動であり、（４）〜（６）は三つ巻き段部を降りる時の挙動である。
【０００４】
【発明が解決しようとする課題】
しかしながら、従来のミシンの布押え１は、三つ巻き段部を縫製する際、図８（３）、（４）に示すように、平坦な押え底面７ｂと生地８との間に大きな隙間ｈ１、ｈ２が形成されるので、生地の押圧が不十分となる。このため、図９に示すように針９が上昇する時に、生地８も一緒に浮き上がってしまい、図１０に示すように針えぐり部９ａに縫目を形成するのに十分な大きさの針糸ループ１０ａが形成されないことがある。
【０００５】
また、図１１に示すように、押え針孔７ａは、布送り方向Ｐに沿って長孔形状に形成されている。しかし、従来の押え針孔７ａ形状では、針刺し時に針孔エッジ７ｃが上糸１０に抵抗をかけてしまうので、スムーズに上糸１０が押え針孔７ａを通過しない。このため、生地８の下にもぐる上糸量が不足し、縫目を形成するのに十分な大きさの針糸ループ１０ａが形成されないことがある。
【０００６】
このように、従来のミシンの布押え１の底面７ｂや押え針孔７ａの形状では、縫目を形成するのに十分な大きさの針糸ループが形成されないので、糸切れ、目飛び、半掛け等の縫い不良が発生する。
【０００７】
この発明は上記問題点を解決するためになされたものであって、縫目を形成するのに十分な大きさの針糸ループが形成されて、糸切れ、目飛び、半掛け等の縫い不良が防止される、ミシンの布押えを提供することを目的とする。
【０００８】
【課題を解決するための手段】
上記課題を解決するために、請求項１記載の発明は
ミシンアームに上下動可能に支持され、下向きの弾性力を受ける押え棒（１６）と、
前記押え棒の下端に固定されたローラ支持台（１７）と、
前記ローラ支持台に回動可能に支持された送りローラ（１８）と、
前記ローラ支持台に回動可能に支持されるとともに、回転一方向に付勢された押え腕（１９）と、
前記押え腕の一端側に固定されるとともに、針孔が形成された押え足（２０）と、を備えたミシンの布押えにおいて、
前記押え足の底面には、略針孔中心線上（Ｓ）にその半径中心が位置する円弧面（２０ｂ）が形成されている構成とした。
【０００９】
請求項１記載の発明によれば、段部縫製時、押え足の円弧状底面（２０ｂ）が生地の浮き上りを防止する。このため、縫目を形成するのに十分な大きさの針糸ループが形成されるので、縫い不良が防止される。
【００１０】
請求項２記載の発明は、請求項１記載のミシンの布押えにおいて、
前記押え足の針孔（２０ａ）外周には、針えぐり部（９ａ）と反対側に切欠け部（貫通溝２０ｅ、面取り２０ｆ）が形成されている構成とした。
【００１１】
請求項２記載の発明によれば、押え針孔外周に設けた切欠け部により、針下降時スムーズに上糸が押え針孔を通過する。このため、縫目を形成するのに十分な大きさの針糸ループが形成されるので、縫い不良が防止される。
【００１２】
【発明の実施の形態】
この発明の第１実施形態を図１〜図５に基づいて説明する。
布押え１５は、押え棒１６、ローラ支持台１７、送りローラ１８、押え腕１９、押え足２０から構成されている。
【００１３】
押え棒１６は、ミシンアームに上下動可能に支持されている。この押え棒１６上部には、ミシンアーム内に収納され押え棒上部を付勢するバネ２１と、バネ２１の上端に当接し、上下方向に調節可能な調節ネジ２２が配置されている。このバネ２１により、押え棒１６は下向きの弾性力を受ける。
【００１４】
また、押え棒１６とバネ２１下端の間には、カム部材２３とこれを支持するカム部本体２４が配置されている。カム部材２３のカム部２３ａには、図示省略の操作レバーが係合する。この操作レバーを回動させると、布押え１５が生地を押圧する押圧位置と、生地から離間した待機位置に、布押え１５が上下動する。
【００１５】
押え棒１６の下端には、ローラ支持台１７が固定されている。このローラ支持台１７は、ブロック状の本体部１７ａと、本体部１７ａの両端側から下方に向けて突設された保持部１７ｂ、１７ｂとから構成される。
【００１６】
この保持部１７ｂ、１７ｂの中間部には、布送り方向Ｐと直行する方向に貫通孔１７ｃ、１７ｃが形成されている。この貫通孔１７ｃ、１７ｃにベアリング２５、２５が装着されている。このベアリング２５、２５内径部に、駆動軸２６が装備される。この駆動軸２６は、ベアリング２５、２５の間に送りローラ１８を支持している。そして、駆動軸２６の一端側は、図示省略の連結体により、ミシン主軸に連結されている。このため、送りローラ１８は、駆動軸２６を介して、ローラ支持台１７に回動可能に支持されるとともに、ミシン主軸に連動して回転する。
【００１７】
また、ローラ支持台１７の保持部１７ｂの下端部には、布送り方向Ｐと直交する方向に貫通孔１７ｄ、１７ｄが形成されている。さらに、押え腕１９の中央の本体部１９ａには、連結孔１９ａａが形成されている。
【００１８】
支持軸２７は、ローラ支持台１７の貫通孔１７ｄに挿通された後、押え腕１９の連結孔１９ａａに挿通される。そして、ネジ３４により、支持軸２７はローラ支持台１７に固定される。このため、押え腕１９は、支持軸２７を介して、ローラ支持台１７に回動可能に支持されている。
【００１９】
押え腕１９は、本体部１９ａと、右端側で上方に伸びる係合部１９ｂと、左端側で側面視山型状の保持部１９ｃとからなる。保持部１９ｃの先端側には、押え足２０がネジ３１により固定されている。係合部１９ｃの上端には、ピン２８が固定されている。
【００２０】
また、押え棒１６の近くには、上下方向に沿って支持軸４０が配置され、支持軸４０下端には、ブロック状の係合体４１が固定されている。そして、操作レバーを回動すると、押え棒１６と共に支持軸４０が上下動する。係合体４１の傾斜面４１ａには、押え腕に固定されたピン２８が当接している。このため、操作レバーを回転して、支持軸４０を上昇させると、ピン２８が反時計方向に回転し、押え腕１９と布地との空間が大きくなり、作業性が良い。
【００２１】
また、ローラ支持台１７の本体部１７ａには、布送り方向Ｐに沿って、貫通孔１７ｅが形成されている。貫通孔１７ｅには、付勢軸２９が挿通される。付勢軸２９は、一端側に軸心と直交するようにネジ孔２９ａが形成され、他端側２９ｂの軸外周にネジが形成されている。一端側のネジ孔２９ａには、付勢ピン３０が装着される。貫通孔１７ｅに挿通された付勢軸２９の他端側には、バネ３３が装着された後、調節ネジ３２が付勢軸２９の他端側のネジに螺合する。このとき、バネ３３により付勢軸２９と付勢ピン３０は図示Ｑ方向に押圧される。この付勢ピン３０は、押え腕１９の係合部１９ｂの上部に係合する。このため、押え腕１９も時計方向に付勢されるが、押え腕１９上端に固定されたピン２８が係合体４１の傾斜面４１ａに当接し、停止する。
【００２２】
押え足２０は、押え腕１９の先端側に固定されている。また、図３に示すように、押え足２０は布送り方向Ｐに沿って、その長軸心が配置された、長孔形状の押え足針孔２０ａが形成されている。押え足針孔２０ａの中心Ｏが針落ち点であり、針落ち点Ｏからの垂線が針孔中心線Ｓである。押え足２０を側面からみると、Ｖの字形状である。そして、押え足２０の底面２０ｂは、略針孔中心線Ｓ上にその半径中心ｒが位置する円弧面２０ｂが形成され、その円弧面に連続する直線部２０ｃ、２０ｄが形成されている。
【００２３】
また、押え足２０の針孔２０ａの外周には、針落ち点Ｏを通り布送り方向Ｐと直行する直線Ｔに対して、対称な貫通溝２０ｅ（切欠け部）が形成されている。この貫通溝２０ｅは、針えぐり部９ａの反対側に形成された、例えば、半径１の半円状の貫通溝である。なお、図３において、針えぐり部９ａは、布送り方向Ｐに対して図示上側Ｊに位置している。
【００２４】
第１実施形態の動作について説明する。
【００２５】
作業者は、縫製位置に生地をセットした後、操作レバーを回転させて、押え棒１６と支持軸４０を下降位置に移動させて、生地８を押え足２０で押圧した状態で縫製を行う。
【００２６】
この際、図２に示すように、押え足２０の底面に円弧面２０ａが形成され形成されているので、生地の平部縫いの場合の押え足の接地状態を示す（１）や、段部縫いの場合の押え足の接地状態を示す（２）においても、押え足針孔底面２０ｂと生地８とが接地しているので、針上昇時に生地８が浮き上らない。このため、縫目を形成するのに十分な大きさの針糸ループが形成されるので、縫い不良が防止される。
【００２７】
また、図４に示す、段部を乗り上げ時の挙動（１）〜（３）、段部を降りる時の挙動（４）〜（６）でも、従来の押え足に比べて、確実に布時と押え足底面との隙間が少なくなっている。例えば、乗り上げるとき（３）では、第１実施形態の底面が円弧面の場合の隙間ｇ１＜従来の底面フラット場合の隙間ｈ１である。また、降りるとき（４）では、第１実施形態の底面が円弧面の隙間ｇ２＜従来の底面フラット場合の隙間ｈ２である。
【００２８】
このため、針上昇時に生地の浮き上げりがほとんど起こらないので、縫目を形成するのに十分な大きさの針糸ループが形成されるので、縫い不良が防止される。
【００２９】
また、第１実施形態では、押え足の針孔２０ａ外周には、針えぐり部９ａと反対側に半円状の貫通溝２０ｅが形成されている。このため、図５に示すように、針下降時（針刺し時）に上糸１０に余分な抵抗がかからないので、十分な量の上糸が生地の下にもぐる。そして、針上昇時に縫目を形成するのに十分な大きさの針糸ループが形成され、糸切れ、目飛び、半掛け等の縫い不良が防止される。
【００３０】
この発明は、上記実施形態に限定されることなく種々変更可能である。
例えば、上記実施形態では、針えぐり部９ａと反対側の、押え足針孔外周２０ａに半円状の貫通溝２０ｅを設けた。これに代えて、例えば、図６に示すように、針えぐり部９ａと反対側の、押え足針孔外周２０ａに、Ｃ１の面取り加工を施した、面取り部（切欠け部）２０ｆを形成し、縫い不良を防止することも容易に考えられる。
【００３１】
【発明の効果】
上記のように、請求項１記載の発明によれば、段部縫製時、押え足の円弧状底面が生地の浮き上りを防止する。この結果、縫目を形成するのに十分な大きさの針糸ループが形成されるので、縫い不良が防止される。
【００３２】
また、請求項２記載の発明によれば、押え針孔外周に設けた切り欠け部により、針下降時スムーズに上糸が押え針孔を通過する。この結果、縫目を形成するのに十分な大きさの針糸ループが形成されるので、縫い不良が防止される。
【図面の簡単な説明】
【図１】本発明によるミシンの布押えの分解斜視図である。
【図２】本発明のミシンの布押えを平縫いや段部縫いに用いた場合の状態図である。
【図３】押え足の正面図と側面図である。
【図４】本発明のミシンの布押えを段部縫いに用いた場合の状態図である。
【図５】本発明のミシンの布押えを用いた場合のループ形成の説明図である。
【図６】押え足の他の実施形態である。
【図７】従来の布押えを平縫いや段部縫いに用いた場合の状態図である。
【図８】従来の布押えを段部縫いに用いた場合の状態図である。
【図９】従来の布押えを段部縫いに用いた場合の状態図である。
【図１０】従来の布押えを用いた場合のループ形成の説明図である。
【図１１】従来の布押えを用いた場合の説明図である。
【符号の説明】
１５・・・押え棒
１７・・・ローラ支持台
１８・・・送りローラ
１９・・・押え腕
２０・・・押え足
２０ｂ・・円弧面
９ａ・・・針えぐり部
２０ｅ・・貫通溝（切欠け部）
２０ｆ・・面取り部（切欠け部）
【図１】
2004049581.tif 000003
【図２】
2004049581.tif 000004
【図３】
2004049581.tif 000005
【図４】
2004049581.tif 000006
【図５】
2004049581.tif 000007
【図６】
2004049581.tif 000008
【図７】
2004049581.tif 000009
【図８】
2004049581.tif 000010
【図９】
2004049581.tif 000011
【図１０】
2004049581.tif 000012
【図１１】
2004049581.tif 000013